(57)【要約】【課題】パーソナルコンピュータの画面に、ＰＣ属性情報を表示させることにより、正規の画面を装った偽画面に利用者を誘導されるのを防止する。【解決手段】ＰＣは、データの表示要求を開始する以前にサーバと交信し、自己のＰＣ属性情報（IP address／キーワード等）を送信し、ＰＣ属性情報をＰＣ属性情報データベースに登録し、サーバに対してデータの表示要求をする場合、自己の属性情報を付加して送信し、サーバは、表示要求に付加されたＰＣ属性情報と、ＰＣ属性情報データベースに事前に登録されている属性情報とを照合し、一致している場合は、当該登録されているＰＣの属性情報を、データの表示要求に対する回答画面の中に設定してＰＣに出力する。【選択図】図１
2008026938.tif 000002
【特許請求の範囲】
【請求項１】
インターネットを介して、サーバとパーソナルコンピュータが接続され、前記パーソナルコンピュータから前記サーバに対してデータの表示要求を送信して、前記パーソナルコンピュータの画面にデータを表示するオンラインシステムにおけるオンライン画面表示方法において、
前記パーソナルコンピュータは、データの表示要求を開始する以前に、自己のＰＣ属性情報を前記サーバに送信し、
前記サーバは、前記受信したＰＣ属性情報をＰＣ属性情報データベースに登録し、
前記パーソナルコンピュータは、前記サーバに対してデータの表示要求をする場合、前記自己のＰＣ属性情報を付加して送信し、
前記サーバは、前記受信した表示要求に付加されたＰＣ属性情報と、前記ＰＣ属性情報データベースに事前に登録されている属性情報とを照合し、一致している場合は、当該ＰＣ属性情報を、前記データの表示要求に対する回答画面の中に設定して、前記パーソナルコンピュータに出力することを特徴とするオンライン画面表示方法。
【請求項２】
前記ＰＣ属性情報は、IP addressとキーワードを含むことを特徴とする請求項１に記載のオンライン画面表示方法。
【発明の詳細な説明】
【技術分野】
【０００１】
本発明は、オンライン画面表示方法に係り、特に、ＰＣ属性情報データベースを利用して、パーソナルコンピュータに回答画面を表示するオンライン画面表示方法に関する。
【背景技術】
【０００２】
従来、インターネットを介して、サーバとパーソナルコンピュータ（以下、ＰＣと称する。）が接続され、ＰＣからサーバに対してデータの表示要求を送信して、パーソナルコンピュータの画面にデータを表示するオンラインシステムにおけるオンライン画面表示方法としては、一般に、ＰＣから要求された処理を基に、サーバが回答画面を表示する方法が知られている。
【発明の開示】
【発明が解決しようとする課題】
【０００３】
しかしながら、前述した方法によれば、回答画面は予め定められており、利用者毎に異なる画面を表示することができないため、正規の画面を装った偽画面に利用者を誘導し、誤ってログインした利用者に銀行の口座番号・暗証番号などを入力させることで個人情報を不正に入手するフィッシング犯罪を防止することが困難であった。
本発明は、前記従来技術の問題点を解決するためになされたものであり、本発明の目的は、不特定多数のパーソナルコンピュータからサーバに対してデータの表示要求を送信して、パーソナルコンピュータの画面にデータを表示するオンラインシステムにおいて、パーソナルコンピュータの画面に、ＰＣ属性情報を表示させることにより、正規の画面を装った偽画面に利用者を誘導されるのを防止することにある。
本発明の前記ならびにその他の目的と新規な特徴は、本明細書の記述及び添付図面によって明らかにする。
【課題を解決するための手段】
【０００４】
本願において開示される発明のうち、代表的なものの概要を簡単に説明すれば、下記の通りである。
前述の目的を達成するために、本発明においては、インターネットを介して、サーバとＰＣ（パーソナルコンピュータ）が接続され、ＰＣからサーバに対してデータの表示要求を送信して、ＰＣの画面にデータを表示するオンラインシステムにおけるオンライン画面表示方法において、ＰＣは、データの表示要求を開始する以前に、サーバと交信し、自己のＰＣ属性情報（例えば、IP address／キーワード等）をサーバに送信し、サーバは、受信したＰＣ属性情報をＰＣ属性情報データベースに登録し、ＰＣは、サーバに対してデータの表示要求をする場合、自己のＰＣ属性情報を付加して送信し、サーバは、受信した表示要求に付加されたＰＣ属性情報と、ＰＣ属性情報データベースに事前に登録されている属性情報とを照合し、一致している場合は、ＰＣ属性情報を、データの表示要求に対する回答画面の中に設定してＰＣに出力する。
【発明の効果】
【０００５】
本願において開示される発明のうち代表的なものによって得られる効果を簡単に説明すれば、下記の通りである。
本発明によれば、不特定多数のパーソナルコンピュータからサーバに対してデータの表示要求を送信して、パーソナルコンピュータの画面にデータを表示するオンラインシステムにおいて、パーソナルコンピュータの画面に、ＰＣ属性情報を表示させることにより、正規の画面を装った偽画面に利用者を誘導されるのを防止する。
【発明を実施するための最良の形態】
【０００６】
以下、図面を参照して本発明の実施例を詳細に説明する。
なお、実施例を説明するための全図において、同一機能を有するものは同一符号を付け、その繰り返しの説明は省略する。
図１は、本発明の実施例のオンライン画面表示方法が適用されるオンラインシステムの概略構成を示すブロック図である。
図１において、１０１は一般不特定多数のＰＣ（パーソナルコンピュータ）、１０２はインターネット、１０３はＰＣ１０１から要求を受付けるサーバ、１０４は要求元ＰＣ１０１のIP addressを解析するためのIP address解析処理部、１０５は取得したＰＣのIP addressをキーにＰＣ属性情報を検索するＤＢ検索・更新処理部、１０６はＰＣ属性情報を記録するためのＰＣ属性情報データベースである。
図２は、本実施例における、ＰＣ画面上の回答画面を説明する図であり、同図において、２０１はサーバ１０３が、ＰＣ１０１に対して出力表示する画面全体のイメージ、２０２は画面に表示されるＰＣ毎のキーワード表示エリアを示す。
【０００７】
図３は、図１に示すＰＣ属性情報データベース内のＰＣ属性情報データを説明するための図であり、同図において、３０１はＰＣ属性情報IP address部、３０２はＰＣ属性情報キーワード等属性情報部を示す。
図５は、図１に示すＰＣ１０１のハードウェア構成を示すブロック図であり、同図において、１０１はＰＣ、５０２はインターネットに接続するための通信回線、５０３は画面を表示する表示部、５０４はＰＣ１０１の中枢をコントロールする制御部、５０５はＰＣ全体に電源を供給する電源部、５０６は主記憶部（ＲＡＭ）、５０７は補助記憶部（ＨＤＤ）、５０８はＰＣ１０１から各種データを入力するためのキーボード部、５０９はマウス部を示す。
図６は、図１に示すサーバ１０３のハードウェア構成を示すブロック図であり、同図において、１０３はサーバ、６０２はインターネットに接続するための通信回線、６０３はサーバ１０３の中枢をコントロールする制御部、６０４はサーバ全体に電源を供給する電源部、６０５は主記憶部（ＲＡＭ）、６０６は各種アプリケーションやデータベースを格納する補助記憶部（ＨＤＤ）を示す。
【０００８】
次に、本実施例のオンライン画面表示方法について説明する。
まず、サーバ１０３にＰＣ属性情報を登録する方法について説明する。
ＰＣ１０１は、インターネット１０２を経由して、サーバ１０３にアクセスする。その際、当該ＰＣの属性情報（IP address／キーワード等）をサーバ１０３に渡す。
IP address解析処理部１０４は、ＰＣ１０１から属性情報を受け取り、ＤＢ検索・更新処理部１０５に引き継ぐ。
ＤＢ検索・更新処理部１０５は、ＰＣ属性情報を、ＰＣ属性情報データベース１０６に登録する。ＰＣ属性情報データベース１０６では、ＰＣ属性情報IP address部３０１にＰＣ１０１のIP addressがセットされ、ＰＣ属性情報キーワード等属性情報部３０２にキーワード等個別情報がセットされる。
【０００９】
次に、図４を参照して、本実施例のオンライン画面表示方法について説明する。
なお、図４は、本実施例のオンライン画面表示方法を実現するための、図１に示すサーバの処理手順を示すフローチャートである。
先ず、一般不特定多数のＰＣ１０１から送信された表示要求をサーバ１０３が受信する（ステップ４０１）。
次に、受信した要求内容から送信元ＰＣ１０１のIP addressを取得し（ステップ４０２）、当該IP addressをキーに、サーバ１０３が持つＰＣ属性情報データベース１０６内の一致するレコードを検索する（ステップ４０３）。
ステップ４０３において、一致するレコードが存在する場合は、回答画面に一致したレコードの、ＰＣ属性情報キーワード等属性情報部３０２内のキーワード等個別情報をセットし（ステップ４０４）、表示要求送信元ＰＣ１０１の画面のキーワード表示エリア２０２にキーワード等個別情報を表示する（ステップ４０５）。
ステップ４０３において、一致するレコードが存在しない場合は、表示要求送信元ＰＣ１０１の画面のキーワード表示エリア２０２には何も表示されない。
【００１０】
例えば、サーバ１０３は、［192.168.1.1］のIP addressを持つＰＣ１０１から表示要求を受けると、ＰＣ属性情報IP address部３０１から、［192.168.1.1］のIP addressと一致するレコードを検索し、一致するレコードがある場合には、ＰＣ属性情報キーワード等属性情報部３０２にセットされている［キーワードＡ］という文字列を取得し、キーワード表示エリア２０２にセットする。したがって、キーワード表示エリア２０２には、［キーワードＡ］が表示される。
以上説明したように、本実施例のオンライン画面表示方法によれば、表示要求を送信したＰＣ１０１は、予め登録した自己の属性情報が表示されることにより、現在アクセスしているサーバ１０３が、実際にアクセスしようとしたサーバ（例えば、前回と同一サーバ）であることを確認することができるので、正規の画面を装った偽画面に誘導され、個人情報を不正に搾取されるフィッシング犯罪の被害を予防することができる。
また、サーバ所有者は、ＰＣ毎に異なる画面表示を行うことで、利用者へのサービスの向上を図ることができる。
以上、本発明者によってなされた発明を、前記実施例に基づき具体的に説明したが、本発明は、前記実施例に限定されるものではなく、その要旨を逸脱しない範囲において種々変更可能であることは勿論である。
【図面の簡単な説明】
【００１１】
【図１】本発明の実施例のオンライン画面表示方法が適用されるオンラインシステムの概略構成を示すブロック図である。
【図２】本発明の実施例における、ＰＣ画面上の回答画面を説明する図である。
【図３】図１に示すＰＣ属性情報データベース内のＰＣ属性情報データを説明するための図である。
【図４】本発明の実施例のオンライン画面表示方法を実現するための、図１に示すサーバの処理手順を示すフローチャートである。
【図５】図１に示すＰＣのハードウェア構成を示すブロック図である。
【図６】図１に示すサーバのハードウェア構成を示すブロック図である。
【符号の説明】
【００１２】
１０１  パーソナルコンピュータ
１０２  インターネット
１０３  サーバ
１０４  IP address解析処理部
１０５  ＤＢ検索・更新処理部
１０６  ＰＣ属性情報データベース
２０１  画面全体のイメージ
２０２  キーワード表示エリア
３０１  ＰＣ属性情報IP address部
３０２  ＰＣ属性情報キーワード等属性情報部
５０２，６０２  通信回線
５０３  表示部
５０４，６０３  制御部
５０５，６０４  電源部
５０６，６０５  主記憶部（ＲＡＭ）
５０７，６０６  補助記憶部（ＨＤＤ）
５０８  キーボード部
５０９  マウス部
【図１】
2008026938.tif 000003
【図２】
2008026938.tif 000004
【図３】
2008026938.tif 000005
【図４】
2008026938.tif 000006
【図５】
2008026938.tif 000007
【図６】
2008026938.tif 000008